(57)【要約】【課題】ズームリングの操作だけで光学ズームから電子ズームへとスムーズに移行することができる撮像装置を提供する。【解決手段】撮影倍率を変化させるようにカメラ本体１２に対して進退移動する光学ズームレンズと、前記光学ズームレンズを介して結像した被写体像を電子データとして取得する撮像素子４０と、前記光学ズームレンズを収納するレンズ鏡胴部１４まわりに設置され、前記光学ズームレンズの焦点距離を変化させるために回動操作される手動式のズームリング１８と、撮像素子４０で取得された被写体像の一部を切り出して電子的に拡大する電子ズーム部４２と、電子ズーム部４２を作動可能な状態にする電子ズームスイッチ２６とを備えた撮像装置１０であって、電子ズームスイッチ２６がオンされているとき、ズームリング１８が光学ズームのテレ端位置到達以後もさらに回動可能になって電子ズームが作動するようにした。【選択図】図２
2006157225.tif 000002
【特許請求の範囲】
【請求項１】
撮影倍率を変化させるようにカメラ本体に対して進退移動する光学ズームレンズと、前記光学ズームレンズを介して結像した被写体像を電子データとして取得する撮像素子と、前記光学ズームレンズを収納するレンズ鏡胴部まわりに設置され、前記光学ズームレンズの焦点距離を変化させるために回動操作される手動式のズームリングと、前記撮像素子で取得された被写体像の一部を切り出して電子的に拡大する電子ズーム部と、前記電子ズーム部を作動可能な状態にする電子ズームスイッチとを備え、
前記電子ズームスイッチがオンされているとき、前記ズームリングが光学ズームのテレ端位置到達以後もさらに回動可能になって電子ズームが作動するようにしたことを特徴とする撮像装置。
【請求項２】
前記テレ端到達以後の回動範囲内において前記ズームリングの回動量を検知する検知部と、前記検知部からの信号により前記電子ズーム部を作動させて前記ズームリングの回動量に応じた電子ズーム倍率を決定する制御部とをさらに備えていることを特徴とする請求項１に記載の撮像装置。
【請求項３】
前記ズームリングが光学ズームのテレ端で回動不能になるように前記ズームリングの回動を規制する一方で、前記電子ズームスイッチのオン操作に連動して前記テレ端到達以降の前記ズームリングのさらなる回動を許容する規制部材を設けたことを特徴とする請求項１に記載の撮像装置。
【請求項４】
前記規制部材は、前記光学ズームレンズを進退移動させるカム溝に出没するピンで構成されることを特徴とする請求項３に記載の撮像装置。
【請求項５】
前記カム溝は、光学ズーム領域において前記光学ズームレンズを光学ズームのワイド端からテレ端の範囲で進退移動させる円周方向に対して傾斜した傾斜溝部と、電子ズーム領域において前記光学ズームレンズを前記テレ端位置で保持する円周方向溝部とからなることを特徴とする請求項４に記載の撮像装置。
【請求項６】
前記電子ズームスイッチは、前記レンズ鏡胴部の外周部に設けられていることを特徴とする請求項１に記載の撮像装置。
【請求項７】
前記レンズ鏡胴部は、前記カメラ本体に対して交換可能であることを特徴とする請求項１に記載の撮像装置。
【請求項８】
電子ズーム領域において、前記ズームリングの回動量に関して、電子ズーム倍率の変化率が光学ズーム倍率の変化率と等しいリニアモードと、電子ズーム倍率の変化率が光学ズーム倍率の変化率と異なるフルレンジモードとのいずれかを、前記カメラ本体における操作で選択可能になっていることを特徴とする請求項１に記載の撮像装置。
【請求項９】
撮影倍率を変化させるようにカメラ本体に対して進退移動する光学ズームレンズと、前記光学ズームレンズを介して結像した被写体像を電子データとして取得する撮像素子と、前記光学ズームレンズを収納するレンズ鏡胴部まわりに設置され、前記光学ズームレンズの焦点距離を変化させるために直動操作される手動式のズームリングと、前記撮像素子で取得された被写体像の一部を切り出して電子的に拡大する電子ズーム部と、前記電子ズーム部を作動可能な状態にする電子ズームスイッチとを備え、
前記電子ズームスイッチがオンされているとき、前記ズームリングが光学ズームのテレ端位置到達以後もさらに直動可能になって電子ズームが作動するようにしたことを特徴とする撮像装置。
【発明の詳細な説明】
【技術分野】
【０００１】
本発明は、光学ズームと電子ズームが可能な撮像装置に関する。
【背景技術】
【０００２】
近年、銀塩フィルムに被写体像を焼き付けて撮影するいわゆる銀塩カメラに代わって、ＣＣＤやＣＭＯＳなどの撮像素子で被写体像を電子データとして取得して撮影するデジタルカメラが大きく普及している。
【０００３】
デジタルカメラにおいては、カメラ本体に対して光学ズームレンズを移動させて焦点距離を変化させることで撮影倍率を光学的に変える光学ズームと、撮像素子で取得された被写体像から一部を切り出して電子的に拡大処理する電子ズームの両方の機能を備えたものが知られている。この場合、電子ズームでは画素が粗くなって画質劣化を招くという欠点があるため、光学ズームでカバーできる倍率範囲においては光学ズームを使用し、それ以上の倍率が望まれるときには電子ズームを作動させるようになっているのが一般的である。
【０００４】
図１３は、従来例の一眼レフデジタルカメラ１００を示す側面図と背面図である。デジタルカメラ１００は、筐体からなるカメラ本体１１２と、光学ズームレンズを内部に収納するレンズ鏡胴部１１４とを備える。カメラ本体１１２の上部には、発光時に点線状態の位置まで自動的にポップアップする内蔵フラッシュ１１６が設置されている。また、レンズ鏡胴部１１４まわりには、円環状のズームリング１１８が設けられている。このズームリング１１８を手動で回動させることによって、レンズ鏡胴部１１４内で光学ズームレンズがカメラ本体１１２に対して光軸方向に進退移動し、これにより光学ズーム倍率が変化するようになっている。
【０００５】
デジタルカメラ１００の背面には、被写体を覗き込んで視認するためのファインダ１２０、被写体像をライブビュー表示したり撮影画像を表示したりするための例えば液晶ディスプレイからなる背面モニタ１２２、背面モニタ１２２に表示されたメニューから各種の設定を行う際に使用する十字キー１２４および設定ボタン１２６、電子ズーム倍率を変更するための電子ズームボタン１２８などが設けられている。
【０００６】
このようなデジタルカメラ１００では、光学ズームのワイド端（広角端）からテレ端（望遠端）までのズーム範囲はズームリング１１４を回動させることで調節され、前記テレ端よりもさらなるズームが望まれるときには電子ズームボタン１２８が操作されることで電子ズームが行われるようになっている。
【０００７】
【特許文献１】特開平１１−１７４３０９号公報
【発明の開示】
【発明が解決しようとする課題】
【０００８】
しかしながら、上述したようなデジタルカメラ１００においては、光学ズームと電子ズームとで異なる部材を操作しなければならず、操作が分かりにくかったり繁雑であったりするとともに、誤操作する可能性もある。
【課題を解決するための手段】
【０００９】
そこで、前記課題を解決するために、本発明の第１態様の撮像装置は、撮影倍率を変化させるようにカメラ本体に対して進退移動する光学ズームレンズと、前記光学ズームレンズを介して結像した被写体像を電子データとして取得する撮像素子と、前記光学ズームレンズを収納するレンズ鏡胴部まわりに設置され、前記光学ズームレンズの焦点距離を変化させるために回動操作される手動式のズームリングと、前記撮像素子で取得された被写体像の一部を切り出して電子的に拡大する電子ズーム部と、前記電子ズーム部を作動可能な状態にする電子ズームスイッチとを備え、
前記電子ズームスイッチがオンされているとき、前記ズームリングが光学ズームのテレ端位置到達以後もさらに回動可能になって電子ズームが作動するようにしたことを特徴とするものである。
【００１０】
この構成からなる撮像装置によれば、電子ズームスイッチがオンされていれば、ズームリングの操作だけで光学ズームから電子ズームへとスムーズに移行することができ、操作が極めて簡単になるとともに誤操作を招くこともなく、ユーザーフレンドリな装置になる。
【００１１】
本発明の第１態様の撮像装置では、前記テレ端到達以後の回動範囲内において前記ズームリングの回動量を検知する検知部と、前記検知部からの信号により前記電子ズーム部を作動させて前記ズームリングの回動量に応じた電子ズーム倍率を決定する制御部とをさらに備えていてもよい。
【００１２】
また、本発明の第１態様の撮像装置では、前記ズームリングが光学ズームのテレ端で回動不能になるように前記ズームリングの回動を規制する一方で、前記電子ズームスイッチのオン操作に連動して前記テレ端到達以降の前記ズームリングのさらなる回動を許容する規制部材を設けることが好ましい。この場合、前記規制部材は、前記光学ズームレンズを進退移動させるカム溝に出没するピンで構成されてもよい。
【００１３】
また、本発明の第１態様の撮像装置では、前記カム溝が、光学ズーム領域において前記光学ズームレンズを光学ズームのワイド端からテレ端の範囲で進退移動させる円周方向に対して傾斜した傾斜溝部と、電子ズーム領域において前記光学ズームレンズを前記テレ端位置で保持する円周方向溝部とからなってもよい。
【００１４】
また、本発明の第１態様の撮像装置では、前記電子ズームスイッチが、前記レンズ鏡胴部の外周部に設けられていてもよい。
【００１５】
また、本発明の第１態様の撮像装置では、前記レンズ鏡胴部が、前記カメラ本体に対して交換可能であってもよい。
【００１６】
さらに、本発明の第１態様の撮像装置では、電子ズーム領域において、前記ズームリングの回動量に関して、電子ズーム倍率の変化率が光学ズーム倍率の変化率と等しいリニアモードと、電子ズーム倍率の変化率が光学ズーム倍率の変化率と異なるフルレンジモードとのいずれかを、前記カメラ本体における操作で選択可能になっていてもよい。
【００１７】
本発明の第２態様の撮像装置は、撮影倍率を変化させるようにカメラ本体に対して進退移動する光学ズームレンズと、前記光学ズームレンズを介して結像した被写体像を電子データとして取得する撮像素子と、前記光学ズームレンズを収納するレンズ鏡胴部まわりに設置され、前記光学ズームレンズの焦点距離を変化させるために直動操作される手動式のズームリングと、前記撮像素子で取得された被写体像の一部を切り出して電子的に拡大する電子ズーム部と、前記電子ズーム部を作動可能な状態にする電子ズームスイッチとを備え、
前記電子ズームスイッチがオンされているとき、前記ズームリングが光学ズームのテレ端位置到達以後もさらに直動可能になって電子ズームが作動するようにしたことを特徴とするものである。
【発明の効果】
【００１８】
上述したように、本発明の撮像装置によれば、電子ズームスイッチがオンされていれば、ズームリングの操作だけで光学ズームから電子ズームへとスムーズに移行することができ、操作が極めて簡単になるとともに誤操作を招くこともなく、ユーザーフレンドリな装置になる。
【発明を実施するための最良の形態】
【００１９】
以下に、本発明の実施の形態について添付図面を参照して説明する。
【００２０】
図１は本発明の一実施形態である一眼レフデジタルカメラ１０の正面図、図２はデジタルカメラ１０の側面図、図３はデジタルカメラ１０の背面図である。
【００２１】
デジタルカメラ１０は、筐体からなるカメラ本体１２と、光学ズームレンズを内部に収納する円筒状のレンズ鏡胴部１４とを備える。カメラ本体１２の上部には、発光時に点線状態の位置まで自動的にポップアップする内蔵フラッシュ１６が設置されている。また、レンズ鏡胴部１４まわりには、円環状のズームリング１８が設けられている。このズームリング１８を手動で回動させることによって、レンズ鏡胴部１４内で光学ズームレンズがレンズ本体１２に対して進退移動し、これにより焦点距離が変わって光学ズーム倍率が変化するようになっている。
【００２２】
カメラ本体１２の一端部は手で把持するためのグリップ部２０になっており、グリップ部２０の上部にはレリーズボタン２２が配置されている。また、カメラ本体１２の上部には、各種静止画撮影モードや動画撮影モードなどの切り替えを行うモード設定ダイヤル２４が設置されている。さらに、レンズ鏡胴部１４の外周部には、レンズ鏡胴部１４の軸方向後方（図２における左側）にスライド移動させてオンすることによって電子ズームを作動可能な状態にするための電子ズームスイッチ２６が設けられている。
【００２３】
なお、電子ズームスイッチ２６は、スライド操作式のものに限らず、他の方式（例えば、押下操作式、回動操作式など）であってもよい。
【００２４】
カメラ本体１２の背面には、デジタルカメラ１０の電源をオン・オフするためのスライド式のメインスイッチ２８、被写体を覗き込んで視認するためのファインダ３０、被写体像をライブビュー表示したり撮影画像を表示したりするための例えば液晶ディスプレイからなる背面モニタ３２、背面モニタ３２に表示されたメニューから各種の設定を行う際に使用する十字キー３４および決定ボタン３６、手振れ補正機能をオン・オフするための手振れ補正ボタン３８などが設けられている。
【００２５】
図４は、デジタルカメラ１０の内部構成を示す概略ブロック図である。
レンズ鏡胴部１４内の対物レンズおよびズームレンズを介して入射した被写体の光像は、撮像素子の一例であるＣＣＤ（電荷結合素子）４０上に結像する。ＣＣＤ４０は、結像された被写体の光像を、Ｒ（赤）、Ｇ（緑）、Ｂ（青）の色成分の画像信号（各画素で受光された画素信号の信号列からなる信号）に光電変換して制御部４２に出力する。タイミング制御回路４４は、制御部４２からの指令信号を受けて、ＣＣＤ４０の駆動制御信号を生成するものである。
【００２６】
レンズ駆動部４６は、レンズ鏡胴部１４内のレンズ群および絞り部材の駆動を制御するもので、絞り部材の絞り値を制御する絞り制御回路と、モータを駆動することによりズームの変倍率を変更するズーム制御回路と、モータを駆動することによりフォーカス制御を行うフォーカス制御回路とを備えている。
【００２７】
電子ズームスイッチ２６がオン操作されると、オン信号が制御部４２へ出力されるようになっている。
【００２８】
フラッシュ回路４８は、フラッシュ撮影における内蔵フラッシュ１６の発光量を、制御部４２により設定された所定の発光量に制御するものである。
【００２９】
マイク５０は、動画撮影を行う際に集音するためのものである。
【００３０】
操作部５２には、前記レリーズボタン２２、モード設定ダイヤル２４、メインスイッチ２８、十字キー３４、決定ボタン３６、手振れ補正ボタン３８等の操作部材が含まれ、これらの操作部材の操作情報が制御部４２に入力されるようになっている。
【００３１】
スピーカ５４は、撮影記録した動画を再生表示する際に音声を発するためのものである。
【００３２】
液晶表示部であるＬＣＤは、背面モニタ３２であって、ＣＣＤ４０で取得された被写体像をライブビュー表示したり、撮影記録された画像を再生表示したり、あるいは、各種設定を行う際にメニュー画面やモード設定画面などを表示するためのものである。
【００３３】
制御部４２は、例えばＣＰＵで構成され、撮影機能及び再生機能を統括制御するものである。制御部４２は、ＣＣＤ４０で取得された被写体像の一部を切り出して電子的に拡大する電子ズーム部を備えている。電子ズーム部は、電子ズームスイッチ２６がオンされることより作動可能な状態になる。また、制御部４２には、カードインターフェース６０を介してメモリカード６２が接続されている。さらに、制御部４２は、通信用インターフェース６４を介して外部装置（例えばパーソナルコンピュータ）との通信が可能になっている。
【００３４】
レンズ鏡胴部１４には、後述する検知部６６が設けられており、この検知部６６からの信号が制御部４２に入力されるようになっている。
【００３５】
レンズ鏡胴部１４は、その内部に図５に示すような円筒状のカム環７０を同芯状態で有している。カム環７０は、レンズ鏡胴部１４の外周に設けられたズームリング１８を回動操作すると一緒に矢印Ａ方向に回動するようになっている。
【００３６】
カム環７０の外周部には、カム溝７２が形成されている。カム溝７２は、カム環７０またはレンズ鏡胴部１４の円周方向に対して例えば４５度に傾斜した傾斜溝部７２ａと、前記円周方向に沿って延びる円周方向溝部７２ｂとから構成されている。
【００３７】
また、カム環７０内には、１つまたは複数の光学ズームレンズが収容されており、前記光学ズームレンズを支持するレンズ枠体に固定されたカムフォロワピン７４がカム溝７２に係合している。これにより、ズームリング１８の操作によりカム環７０が回動すると、カムフォロワピン７４がカム溝７２の傾斜溝部７２ａに沿って移動することにより光学ズームレンズを保持したレンズ枠体が光軸方向に移動し、その結果、カメラ本体１２に対して光学ズームレンズが進退移動することで光学ズーム倍率が変化するようになっている。
【００３８】
ここで、カムフォロワピン７４が傾斜溝部７２ａの一端部７５に位置するとき、光学ズームレンズは最もカメラ本体１２側に移動したワイド端位置にあり、一方、カムフォロワピン７４が傾斜溝部７２ａの他端部７６に位置するとき、光学ズームレンズはカメラ本体１２から最も離れたテレ端位置にある。
【００３９】
レンズ鏡胴部１４の外周部に設けられた電子ズームスイッチ２６には、図５に示すように、規制部材としてのピン２７が連結されている。このピン２７は、電子ズームスイッチ２６がオフ側にスライド操作されているとき、カム溝７２の傾斜溝部７２ａと円周方向溝部７２ｂとの交差部近傍においてカム溝７２内に突出する一方、電子ズームスイッチ２６がオン側にスライド操作されているとき、カム溝７２から退避するように没入するようになっている。
【００４０】
したがって、電子ズームスイッチ２６がオフになっているときには、カムフォロワピン７４が光学ズームのテレ端位置で前記ピン２７に当接するために、ズームリング１８およびカム環７０のそれ以上の回動が規制されるようになっている。
【００４１】
これに対し、電子ズームスイッチ２６がオンになっているときには、カムフォロワピン７４がカム溝７２から退避しているために、カムフォロワピン７４がカム溝７２に沿って傾斜溝部７２ａから円周方向溝部７２ｂに進入できることから、ズームリング１８およびカム環７０は光学ズームのテレ端位置到達以後もその回動が許容されるようになっている。
【００４２】
ただし、ズームリング１８を光学ズームのテレ端位置到達以後にさらに回動させても、カムフォロワピン７４がカム溝７２の円周方向溝部７２ｂに沿って移動するだけなので、光学ズームレンズはテレ端位置に留まり、光学ズームは最大倍率に保持されることになる。その一方で、カムフォロワ７４がカム溝７２の円周方向溝部７２ｂに進入した状態にまでズームリング１８が回動操作されたとき、電子ズームスイッチ２６がオンされていて電子ズーム作動可能状態になっているため、後述するようにズームリング１８が光学ズームのテレ端位置到達以後にさらに回動されたことを検知して電子ズームが作動するようになっている。
【００４３】
また、カム環７０の外周面には、図６に示すように、円周方向に平行に延びる２つの帯状パターン７７，８０が形成されている。帯状パターン７７，８０は、その大部分が光反射率の高い例えば白色パターン７８，８１で占められているが、所定の角度範囲においては光反射率が交互に高低となる例えば白黒パターン７９，８２で構成されている。このような帯状パターン７７，８０に対して、光を照射して反射光を検出するフォトリフレクタＰＲ１，ＰＲ２がレンズ鏡胴部１４内に納まるようにしてそれぞれ対向配置されている。これらの帯状パターン７７，８０およびフォトリフレクタＰＲ１，ＰＲ２が上述した検知部６６を構成する。
【００４４】
前記帯状パターン７７，８０において、第１角度範囲Ｘは白色パターン７８，８１からなる光学ズーム領域に対応し、この範囲ではフォトリフレクタＰＲ１，ＰＲ２から制御部４２へ信号は出力されない。これにより、制御部４２は、ズームリング１８の可動範囲が光学ズーム領域（すなわち、前記カムフォロワピン７４がカム溝７２の傾斜溝部７２ａに沿って移動する範囲）内にあると判定できるようになっている。
【００４５】
一方、第２角度範囲Ｙは白黒パターン７９，８２からなる電子ズーム領域に対応し、この範囲ではフォトリフレクタＰＲ１，ＰＲ２から制御部４２へ矩形パルス信号８３，８５がそれぞれ出力される。これにより、制御部４２は、ズームリング１８の可動範囲が電子ズーム領域（すなわち、前記カムフォロワピン７４がカム溝７２の円周方向溝部７２ｂに沿って移動する範囲）内にあると判定できるとともに、矩形パルス信号８３，８５の発生数からズームリング１８の回動量を検知できるようになっている。
【００４６】
この場合において、白黒パターン７９，８２を対比するとパターン位置が円周方向にずらしてあることから、フォトリフレクタＰＲ１から出力される矩形パルス信号８３と、フォトリフレクタＰＲ２から出力される矩形パルス信号８５との発生タイミングが若干ずれるようになっている。より詳細に見ると、図７（ａ）に示すように、初期状態としては、パターンＡ，Ｂ，Ｃ，Ｄの４種類しかない。すなわち、フォトリフレクタＰＲ１，ＰＲ２のいずれの信号もロー（Ｌ）のパターンＡ、フォトリフレクタＰＲ１の信号がハイ（Ｈ）でフォトリフレクタＰＲ２の信号がロー（Ｌ）のパターンＢ、フォトリフレクタＰＲ１，ＰＲ２のいずれの信号もハイ（Ｈ）のパターンＣ、フォトリフレクタＰＲ１の信号がロー（Ｌ）でフォトリフレクタＰＲ２の信号がハイ（Ｈ）のパターンＤである。この４種類の初期状態からズームリング１８を正転または逆転させると、図７（ｂ）に示すように、いずれかのフォトリフレクタの信号状態が先に変化することなる。このように初期状態からいずれのフォトリフレクタの信号状態が先に変化したかで、ズームリング１８が正転操作されたか、逆転操作されたかが判定可能になっている。
【００４７】
なお、ズームリング１８の回動範囲が電子ズーム領域にあって、そのときのズームリング１８の回動量を検知するための検知部６６は、上述したものに限らず、例えば電気的なオンオフを読み取るエンコーダと電気接点とで構成されてもよい。
【００４８】
デジタルカメラ１０が光学ズーム領域で使用されるとき、使用者はファインダ３０で被写体像を視認することができる。すなわち、図８（ａ）に示すように、被写体からレンズ鏡胴部１４のレンズ群を介してカメラ本体１２に入射した被写体像は、メインミラー８４で反射されて上方に導かれた後、ペンタ形プリズム８６で２回反射されてファインダ３０に出射する。このとき、ＣＣＤ４０は閉じられたシャッタ８８で覆われている。
【００４９】
一方、デジタルカメラ１０が電子ズーム領域で使用されるとき、使用者は背面モニタ３２におけるライブビュー表示で被写体像を視認することができる。すなわち、図８（ｂ）に示すように、ライブビュー表示のときにはメインミラー８４が矢印Ｂ方向に回動して跳ね上げられるとともにシャッタ８８が開かれるので、被写体からレンズ鏡胴部１４のレンズ群を介してカメラ本体１２に入射した被写体像はＣＣＤ４０で取得され、ＣＣＤ４０で取得された画像が制御部４２によって背面モニタ３２に表示される。
【００５０】
なお、デジタルカメラ１０が光学ズーム領域で使用されている場合にカメラ本体１２上部のレリーズボタン２２が押されたとき、図８（ｂ）に示すようにメインミラー８４が跳ね上げられるとともにシャッタ８８が開いて、ＣＣＤ４０により被写体像が取得されて撮影が行われることになる。
【００５１】
ところで、本実施形態のデジタルカメラ１０では、電子ズームにおいてリニアモードとフルレンジモードのどちらかを選択できるようになっている。図９に示すように、まずは背面モニタ３２にメニュー画面を呼び出し、そこで十字キー３４および決定ボタン３６を操作して「応用１」を選択し、続いて表示された「応用１」の画面で十字キー３４および決定ボタン３６を操作してリニアモードまたはフルレンジモードのいずれかを選択する。これにより、選択されたモードが背面モニタ３２の下部に表示される。
【００５２】
ここで、リニアモードとは、図１０に示すように、ズームリング１８の初期位置からの回転角が０度〜８０度の範囲が光学ズーム領域、８０度〜１２０度の範囲が電子ズーム領域と仮定したときに、ズームリング１８の回転角（すなわち回動量）に関して、電子ズーム倍率の変化率を光学ズーム倍率の変化率と等しくして、最大電子ズーム倍率例えば１．３３倍を割り当てるモードのことである。
【００５３】
これに対し、フルレンジモードとは、図１１に示すように、ズームリング１８の初期位置からの回転角が０度〜８０度の範囲が光学ズーム領域、８０度〜１２０度の範囲が電子ズーム領域と仮定したときに、ズームリング１８の回転角（すなわち回動量）に関して、電子ズーム倍率の変化率を光学ズーム倍率の変化率よりも大きして、最大電子ズーム倍率例えば３倍を割り当てるモードのことである。なお、フルレンジモードにおいて、光学ズーム倍率と電子ズーム倍率の関係によっては、電子ズーム倍率の変化率が光学ズーム倍率の変化率よりも小さくなる場合もある。
【００５４】
次に、上述した構成からなるデジタルカメラ１０の動作について図１２のフローチャートを参照して説明する。なお、このフローチャートは、カメラ本体１２に対してレンズ鏡胴部１４が交換可能なタイプについてのものである。
【００５５】
カメラ本体１２に交換式レンズ鏡胴部１４が装着されて（ステップＳ１）、メインスイッチ２８により電源オンされてカメラが起動されると（ステップＳ２）、カメラ本体１２の制御部４２はレンズ鏡胴部１４に内蔵されたＲＯＭと交信して、ＲＯＭに記憶された焦点距離情報やズームレンズ１８の回動量に関する光学ズーム倍率の変化率情報などを取得する（ステップＳ３）。
【００５６】
そして、使用者の操作によって電子ズームスイッチ２６がオンされてリニアモードまたはフルレンジモードのいずれかの電子ズームモードが設定されると（ステップＳ４）、制御部４２は選択されたモードに応じて電子ズーム倍率の変化率を演算する（ステップＳ５）。
【００５７】
電子ズームスイッチ２６がオン操作されたとき、制御部４２の電子ズーム部が作動可能な状態になるとともに、オン操作に連動して電子ズームスイッチ２６に連結されたピン２７がカム環７０のカム溝７２から退避することで、ズームリング１８が光学ズームのテレ端位置到達以後もさらに回動可能になる。これにより、ズームリング１８が光学ズームのテレ端位置到達以後の回動範囲にあるときには電子ズームが作動することになる。
【００５８】
その後、制御部４２は、ズームリング１８が回動操作されたか否かを判定する（ステップＳ６）。ズームリング１８が操作されたか否かは、光学ズーム領域では撮影レンズの焦点距離の変化を検知することで検出でき、電子ズーム領域ではフォトリフレクタＰＲ１，ＰＲ２からの入力信号を検出することで、判定できる。従来、手動ズームの場合でも、撮影情報として、光学ズームの現在の焦点距離を検知する必要があり、本実施形態では不図示のエンコーダで前記焦点距離を検知している。
【００５９】
そして、ズームリング１８が操作されていれば、続いて光学ズーム領域にあるか否かを判定する（ステップＳ７）。この判定は、上述したようにフォトリフレクタＰＲ１，ＰＲ２からの入力信号によって判定できる。
【００６０】
光学ズーム領域にあってズームリング１８の操作が継続されている間は、前記ステップＳ６，Ｓ７を繰り返す。光学ズーム領域にあってズームリング１８の操作が終了すると、レリーズボタン２２が半押しされたか否かを判定し（ステップＳ１４）、半押しされていればオートフォーカスを実行する（ステップＳ１５）。続いて、レリーズボタン２２が全押しされたか否かを判定し（ステップＳ１６）、全押しされていれば撮像を実行して（ステップＳ１７）、画像を記録する（ステップＳ１８）。なお、レリーズボタン２２が全押しされたと判定されるまでは前記ステップＳ１４，Ｓ１５，Ｓ１６を繰り返す。
【００６１】
一方、前記ステップＳ７において、光学ズーム領域にない（すなわち電子ズーム領域に入った）と判定されると、制御部４２は、被写体像の視認手段を光学ビューファインダ３０から切り換えて背面モニタ３２によるライブビュー表示を実行して（ステップＳ８）、電子ズームを作動させる（ステップＳ９）。そして、制御部４２は、フォトリフレクタＰＲ１，ＰＲ２によって検知されたズームリング１８の回転角（すなわち回動量）を取得する（ステップＳ１０）。
【００６２】
続いて、制御部４２は、リニアモードに設定されているか否かを判定する（ステップＳ１１）。リニアモードに設定されていれば、前記ステップＳ５で演算されたリニアモードでの変化率に基づいてズームリング１８の回転角検知量に応じた電子ズーム倍率を決定して電子ズーム処理する（ステップＳ１２）。一方、フルレンジモードに設定されていれば、前記ステップＳ５で演算されたフルレンジモードでの変化率に基づいてズームリング１８の回転角検知量に応じた電子ズーム倍率を決定して電子ズーム処理する（ステップＳ１３）。なお、いずれのモードにおいても、電子ズーム処理された被写体像が背面モニタ３２にライブビュー表示されている。
【００６３】
上述したステップＳ８〜Ｓ１３は、電子ズーム領域においてズームリング１８の操作が終了するまで継続される（ステップＳ６，Ｓ７）。
【００６４】
電子ズーム領域にあってズームリング１８の操作が終了すると、レリーズボタン２２が半押しされたか否かを判定し（ステップＳ１４）、半押しされていればオートフォーカスを実行する（ステップＳ１５）。続いて、レリーズボタン２２が全押しされたか否かを判定し（ステップＳ１６）、全押しされていれば撮像を実行して（ステップＳ１７）、画像を記録する（ステップＳ１８）。なお、レリーズボタン２２が全押しされたと判定されるまでは前記ステップＳ１４，Ｓ１５，Ｓ１６を繰り返す。
【００６５】
なお、レンズ鏡胴部１４が交換できないタイプのカメラの場合、ズームレンズの焦点距離や光学ズーム倍率が不変のものとなり、予め制御部４２に記憶しておけば足りることから、図１２のフローチャートにおいてステップＳ１，Ｓ３が不要になる。
【００６６】
以上に説明したように、本実施形態のデジタルカメラ１０によれば、電子ズームスイッチ２６がオンされていれば、ズームリング１８の操作だけで光学ズームから電子ズームへとスムーズに移行することができ、操作が極めて簡単になるとともに誤操作を招くこともなく、ユーザーフレンドリなカメラになる。
【００６７】
本発明は、上述した実施形態に限定されるものではなく、種々の変更が可能である。
【００６８】
例えば、前記デジタルカメラ１０では、ズームリング１８が回動操作されるものとしたが、ズームリング１８がズームレンズの光軸方向に手動で直動操作されるようにしてもよい。この場合、ズームレンズを保持するレンズ枠体に設けられたカムフォロワピン７４をガイドするための溝は直線状に形成され、その直線状の溝の途中に規制部材であるピン２７が出没するように構成されることになる。
【００６９】
また、前記デジタルカメラ１０では、電子ズームスイッチ２６をレンズ鏡胴部１４に設けたが、カメラ本体１２に例えば押しボタン式の電子ズームスイッチ２６を設けてもよい。この場合、電子ズームスイッチ２６のオン操作に連動して、例えばソレノイド等の電気的駆動手段で規制部材であるピン２７を作動させるようにするのが好ましい。
【００７０】
また、光学ズームのテレ端位置においてズームリング１８の回動を規制する規制部材は、ピン２７に限らず、例えばレバー、ブロック、棒状部材など何でもよく、カム溝７０内に出没する際の動作も直線動作に限らず回動動作であってもよい。
【００７１】
さらに、前記デジタルカメラ１０では、電子ズームが作動したときには背面モニタ３２によるライブビュー表示で被写体像を視認するようにしたが、カメラ本体１２内部に小型の表示装置を設けて、ファインダ３０で前記小型表示装置に表示される電子ズーム被写体像を視認できるようにすることで、ファインダ３０が光学ビューファインダから電子ビューファインダに切り換わるようにしてもよい。このようにすれば、使用者は、光学ズーム領域から電子ズーム領域に入った場合にも、ファインダ３０から目を離すことなく引き続き被写体像を視認可能になる。
【図面の簡単な説明】
【００７２】
【図１】一眼レフデジタルカメラの正面図。
【図２】図１のデジタルカメラの側面図。
【図３】図１のデジタルカメラの背面図。
【図４】図１のデジタルカメラの内部構成を示す概略ブロック図。
【図５】カム溝を形成したカム環と電子ズームスイッチの操作に連動するピンを示す斜視図。
【図６】カム環の回転角を検知するための検知部を含むカム環の斜視図と、検知部を構成するフォトリフレクタからの信号を示す波形図。
【図７】フォトリフレクタからの信号状態の変化によってズームリングの回転操作方向を判定する方法を説明するための図。
【図８】（ａ）は光学ビューファインダ時のメインミラーの状態、（ｂ）は背面モニタによるライブビュー表示時のメインミラーの状態をそれぞれ示す図。
【図９】電子ズームのモード設定時に背面モニタに表示される画面を示す図。
【図１０】リニアモードにおけるズームリングの回転角と焦点距離の関係を示すグラフ。
【図１１】フルレンジモードにおけるズームリングの回転角と焦点距離の関係を示すグラフ。
【図１２】図１のデジタルカメラの動作を説明するためのフローチャート。
【図１３】（ａ）は従来例の一眼レフデジタルカメラの側面図、（ｂ）はそのデジタルカメラの背面図。
【符号の説明】
【００７３】
１０…デジタルカメラ（撮像装置）
１２…カメラ本体
１４…レンズ鏡胴部
１６…内蔵フラッシュ
１８…ズームリング
２２…レリーズボタン
２４…モード設定ダイヤル
２６…電子ズームスイッチ
２７…ピン（規制部材）
２８…メインスイッチ
３０…ファインダ
３２…背面モニタ
４２…制御部（電子ズーム部）
７０…カム環
７２…カム溝
７２ａ…傾斜溝部
７２ｂ…円周方向溝部
７４…カムフォロワピン
７５…光学ズームのワイド端位置
７６…光学ズームのテレ端位置
７７，８０…帯状パターン（検知部）
８４…メインミラー
８６…ペンタ形プリズム
ＰＲ１，ＰＲ２…フォトリフレクタ（検知部）
【図１】
2006157225.tif 000003
【図２】
2006157225.tif 000004
【図３】
2006157225.tif 000005
【図４】
2006157225.tif 000006
【図５】
2006157225.tif 000007
【図６】
2006157225.tif 000008
【図７】
2006157225.tif 000009
【図８】
2006157225.tif 000010
【図９】
2006157225.tif 000011
【図１０】
2006157225.tif 000012
【図１１】
2006157225.tif 000013
【図１２】
2006157225.tif 000014
【図１３】
2006157225.tif 000015